(57)【特許請求の範囲】
【請求項１】
ガスを遮断するガス遮断部と、ガスの遮断を行う事由を発生する遮断事由発生部と、時間または日付または曜日を計測する時計部と、前記時計部の時間または日付または曜日を入力して遮断を行う遮断時間または遮断日付または遮断曜日を出力する遮断設定日時保持部と、前記遮断事由発生部で遮断を行う事由が発生したときに時計部から時間または日付または曜日を取得し、取得した時間または日付または曜日を、遮断設定日時保持部に入力して遮断時間または遮断日付または遮断曜日を取得し、時計部の時間または日付または曜日が、遮断設定日時保持部の遮断時間または遮断日付または遮断曜日に一致したときに前記ガス遮断部でガスを遮断させる制御部とを備えたことを特徴とするガス遮断装置。
【請求項２】
ガスを遮断するガス遮断部と、ガスの遮断を行う事由を発生する遮断事由発生部と、時間または日付または曜日を計測する時計部と、遮断を許可する時間または日付または曜日それぞれの範囲である時間帯または日付帯または曜日帯をそれぞれ保持する遮断日時帯保持部と、前記時計部の時間または日付または曜日を入力して遮断を行う遮断時間または遮断日付または遮断曜日を出力する遮断設定日時保持部と、前記遮断事由発生部で遮断を行う事由が発生したときに時計部から時間または日付または曜日を取得し、取得した時間または日付または曜日が、遮断日時帯保持部の時間帯または日付帯または曜日帯に含まれるときには、即時にガス遮断部でガスを遮断させ、前記時間または日付または曜日が、遮断日時帯保持部の時間帯または日付帯または曜日帯に含まれないときには、時計部から時間または日付または曜日を取得し、取得した時間または日付または曜日を、遮断設定日時保持部に入力して遮断時間または遮断日付または遮断曜日を取得し、時計部の時間または日付または曜日が、遮断設定日時保持部の遮断時間または遮断日付または遮断曜日に一致したときに前記ガス遮断部でガスを遮断させる制御部とを備えたことを特徴とするガス遮断装置。
【請求項３】
ガスを遮断するガス遮断部と、ガスの遮断を行う事由を発生する遮断事由発生部と、時間または日付または曜日を計測する時計部と、遮断後に開栓を許可する時間または日付または曜日それぞれの範囲である時間帯または日付帯または曜日帯をそれぞれ保持する開栓許可日時帯保持部と、開栓を許可する開栓許可状態または開栓を許可しない開栓不許可状態を保持する開栓許可状態保持部と、遮断後に開栓を受け付ける開栓受付部と、前記遮断事由発生部で遮断を行う事由が発生したときに時計部から時間または日付または曜日を取得し、取得した時間または日付または曜日が、前記開栓許可日時帯保持部の時間帯または日付帯または曜日帯に含まれるときには、開栓許可状態保持部に前記開栓許可状態を保持させて前記ガス遮断部でガスを遮断させ、時計部の時間または日付または曜日が、前記開栓許可日時帯保持部の時間帯または日付帯または曜日帯に含まれないときには、開栓許可状態保持部に前記開栓不許可状態を保持させて前記ガス遮断部でガスを遮断させ、遮断後に開栓受付部で前記開栓を受け付けたときに開栓許可状態保持部が開栓許可状態を保持している場合にはガス遮断部の遮断を解除させ、開栓許可状態保持部が開栓不許可状態を保持している場合にはガス遮断部の遮断を解除させない制御部とを備えたことを特徴とするガス遮断装置。
【請求項４】
ガスの流量を計測するガス流量計測部を持ち、制御部が、時計部から時間または日付または曜日を取得するのは、遮断事由発生部で遮断を行う事由が発生した後、ガス流量計測部からガス流量を取得し、前記ガス流量が規定流量未満から規定流量以上に変化したときである請求項３記載のガス遮断装置。
【請求項５】
ガスを遮断するガス遮断部と、ガスの遮断を行う事由を発生する遮断事由発生部と、ガスの流量を計測するガス流量計測部と、時間または日付または曜日を計測する時計部と、遮断を許可する時間または日付または曜日それぞれの範囲である時間帯または日付帯または曜日帯をそれぞれ保持する遮断日時帯保持部と、前記遮断事由発生部で遮断を行う事由が発生した後、前記ガス流量計測部からガス流量を取得し、前記ガス流量が規定流量未満から規定流量以上に変化したときに、時計部から時間または日付または曜日を取得し、取得した時間または日付または曜日が、遮断日時帯保持部の時間帯または日付帯または曜日帯に含まれるときに前記ガス遮断部でガスを遮断させる制御部とを備えたことを特徴とするガス遮断装置。
【請求項６】
ガスを遮断するガス遮断部と、ガスの遮断を行う事由を発生する遮断事由発生部と、ガスの流量を計測するガス流量計測部と、前記遮断事由発生部で遮断を行う事由が発生した後、前記ガス流量計測部からガス流量を取得し、前記ガス流量が規定流量未満になったときに、前記ガス遮断部でガスを遮断させる制御部とを備えたことを特徴とするガス遮断装置。
【発明の詳細な説明】
【０００１】
【発明の属する技術分野】
本発明は、ガスの使用上の安全性を確保するガス遮断装置に関するものである。
【０００２】
【従来の技術】
従来この種のガス遮断装置は、図１０（本発明の第６実施例を示す図を参酌する。）のような機能ブロック図となっている。この図において、遮断事由発生部１はガスの遮断を行う事由を発生する機能を有し、ガス遮断部２はガスを遮断する機能を有し、制御部３は、ガス遮断装置１１の動作を制御し、遮断事由発生部１でガスを遮断する事由が発生したときに、ガス遮断部２でガスを遮断させる機能を有する。
【０００３】
前記遮断事由発生部１では、ガスの使用における危険な状態に対して一定の日にちや時間の余裕がある時点で遮断事由を発生するようになっており、その遮断事由の発生した時点で、制御部３がガス遮断部２でガスを遮断させている。
【０００４】
【発明が解決しようとする課題】
上記従来のガス遮断装置では、遮断事由発生部１が遮断事由を発生した場合には即時に制御部３がガス遮断部２でガスを遮断させていた。つまり遮断事由が発生したとき、危険な状態に対して一定の日にちや時間の余裕がある場合でも、時間帯、休日、曜日などに関わらず遮断事由が発生した時点で即座にガスが遮断される。したがって、ガスの保守業者がガスを使用できるように処置をするまでガスの利用者がガスを使用できなくなる場合や、ガスの利用者が頻繁にガスを使用する時間帯、休日、曜日などで急にガスが使用できなくなる場合があり、ガスの利用者に不便を強いるという問題を有していた。
【０００５】
本発明は、上記のような従来の問題を解決するもので、発生した遮断事由が危険な状態に対して一定の日にちや時間の余裕を持って発生するようになっている場合において、ガスの保守業者が処置できない時間帯、休日、曜日を外してガスを遮断したり、一時的に開栓（ガス遮断の解除）することによって、使用中にガスが急に使用できなくなることによる不便さを解消したガス遮断装置を提供することを目的とする。
【０００６】
【課題を解決するための手段】
本発明のガス遮断装置は、上記目的を達成するために、ガスを遮断するガス遮断部と、ガスの遮断を行う事由を発生する遮断事由発生部と、時間または日付または曜日を計測する時計部と、前記時計部の時間または日付または曜日を入力して遮断を行う遮断時間または遮断日付または遮断曜日を出力する遮断設定日時保持部と、前記遮断事由発生部で遮断を行う事由が発生したときに時計部から時間または日付または曜日を取得し、取得した時間または日付または曜日を、遮断設定日時保持部に入力して遮断時間または遮断日付または遮断曜日を取得し、時計部の時間または日付または曜日が、遮断設定日時保持部の遮断時間または遮断日付または遮断曜日に一致したときに前記ガス遮断部でガスを遮断させる制御部とを備えたことを特徴としている。
【０００７】
これによって、遮断事由発生部で遮断事由が発生した後に、遮断設定日時保持部が保持する遮断日時と時計部の日時が一致すれば、ガス遮断部でガスを遮断することによって、ガスの保守業者がすぐに処置を行える時間帯、休日以外、曜日に遮断するようにでき、またガスの利用者がガスを頻繁に使用する時間帯、休日、曜日を避けるため、ガスの利用者の利便性が高くなる。
【０００８】
【発明の実施の形態】
請求項１に記載の発明は、ガスを遮断するガス遮断部と、ガスの遮断を行う事由を発生する遮断事由発生部と、時間または日付または曜日を計測する時計部と、前記時計部の時間または日付または曜日を入力して遮断を行う遮断時間または遮断日付または遮断曜日を出力する遮断設定日時保持部と、前記遮断事由発生部で遮断を行う事由が発生したときに時計部から時間または日付または曜日を取得し、取得した時間または日付または曜日を、遮断設定日時保持部に入力して遮断時間または遮断日付または遮断曜日を取得し、時計部の時間または日付または曜日が、遮断設定日時保持部の遮断時間または遮断日付または遮断曜日に一致したときに前記ガス遮断部でガスを遮断させる制御部とを備えたことにより、ガスの利用者がガスを頻繁に使用する時間または日付または曜日に一致しないと遮断時間または遮断日付または遮断曜日にガスが遮断されるようにすることによって、ガスの保守業者がガスの使用状態を妨げずに作業をできるようにし、ガスの利用者が頻繁にガスを使用する時間または日付または曜日に、急なガス遮断によってガスの利用者に不便を強いることを避けることができる。
【０００９】
請求項２に記載の発明は、ガスを遮断するガス遮断部と、ガスの遮断を行う事由を発生する遮断事由発生部と、時間または日付または曜日を計測する時計部と、遮断を許可する時間または日付または曜日それぞれの範囲である時間帯または日付帯または曜日帯をそれぞれ保持する遮断日時帯保持部と、前記時計部の時間または日付または曜日を入力して遮断を行う遮断時間または遮断日付または遮断曜日を出力する遮断設定日時保持部と、前記遮断事由発生部で遮断を行う事由が発生したときに時計部から時間または日付または曜日を取得し、取得した時間または日付または曜日が、遮断日時帯保持部の時間帯または日付帯または曜日帯に含まれるときには、即時にガス遮断部でガスを遮断させ、前記時間または日付または曜日が、遮断日時帯保持部の時間帯または日付帯または曜日帯に含まれないときには、時計部から時間または日付または曜日を取得し、取得した時間または日付または曜日を、遮断設定日時保持部に入力して遮断時間または遮断日付または遮断曜日を取得し、時計部の時間または日付または曜日が、遮断設定日時保持部の遮断時間または遮断日付または遮断曜日に一致したときに前記ガス遮断部でガスを遮断させる制御部とを備えたことにより、ガスの利用者がガスを頻繁に使用する時間または日付または曜日それぞれの範囲である遮断日時帯（時間帯または日付帯または曜日帯）に含まれなければ、ガスが即時に遮断されるようにして安全性を確保する一方、前記遮断日時帯以外であれば、請求項１記載の発明と同様の遮断日時にガスが遮断されるようにすることによって、ガスの保守業者がガスの使用状態を妨げずに作業をできるようにし、ガスの利用者が頻繁にガスを使用する時間または日付または曜日に、急なガス遮断によってガスの利用者に不便を強いることを避けることができる。
【００１０】
請求項３に記載の発明は、ガスを遮断するガス遮断部と、ガスの遮断を行う事由を発生する遮断事由発生部と、時間または日付または曜日を計測する時計部と、遮断後に開栓を許可する時間または日付または曜日それぞれの範囲である時間帯または日付帯または曜日帯をそれぞれ保持する開栓許可日時帯保持部と、開栓を許可する開栓許可状態または開栓を許可しない開栓不許可状態を保持する開栓許可状態保持部と、遮断後に開栓を受け付ける開栓受付部と、前記遮断事由発生部で遮断を行う事由が発生したときに時計部から時間または日付または曜日を取得し、取得した時間または日付または曜日が、前記開栓許可日時帯保持部の時間帯または日付帯または曜日帯に含まれるときには、開栓許可状態保持部に前記開栓許可状態を保持させて前記ガス遮断部でガスを遮断させ、時計部の時間または日付または曜日が、前記開栓許可日時帯保持部の時間帯または日付帯または曜日帯に含まれないときには、開栓許可状態保持部に前記開栓不許可状態を保持させて前記ガス遮断部でガスを遮断させ、遮断後に開栓受付部で前記開栓を受け付けたときに開栓許可状態保持部が開栓許可状態を保持している場合にはガス遮断部の遮断を解除させ、開栓許可状態保持部が開栓不許可状態を保持している場合にはガス遮断部の遮断を解除させない制御部とを備えたことにより、ガスの保守業者が出動できる日時帯（時間帯または日付帯または曜日帯）に含まれない日時帯にガスが遮断されても、時計部の現在日時が、開栓許可日時帯保持部の日時に含まれるときには、開栓許可状態で保存されているので、例えばガスの利用者がガス保守業者からの指示によりガスの遮断を解除が可能となり、ガスの利用者が頻繁にガスを使用する日時帯に、一時的に開栓できるので、急なガス遮断によってガスの利用者に不便を強いることを避けることができる。
【００１１】
請求項４に記載の発明は、請求項３に記載の発明において、ガスの流量を計測するガス流量計測部を持ち、遮断事由発生部で遮断を行う事由が発生した後、ガス流量計測部からガス流量を取得し、前記ガス流量が規定流量未満から規定流量以上に変化したときに、制御部が、時計部から時間または日付または曜日を取得することにより、上記同様の動作を、遮断事由の発生後にガス流量計測部からの規定流量の変化によってガスが使用中であるかを判断した後に行い、開栓許可状態に設定されていれば、ガス遮断後に一時的にその解除を可能とすることによって、ガスの利用者に不便を強いることを効率的に避けることができる。
【００１２】
請求項５に記載の発明は、ガスを遮断するガス遮断部と、ガスの遮断を行う事由を発生する遮断事由発生部と、ガスの流量を計測するガス流量計測部と、時間または日付または曜日を計測する時計部と、遮断を許可する時間または日付または曜日それぞれの範囲である時間帯または日付帯または曜日帯をそれぞれ保持する遮断日時帯保持部と、前記遮断事由発生部で遮断を行う事由が発生した後、前記ガス流量計測部からガス流量を取得し、前記ガス流量が規定流量未満から規定流量以上に変化したときに、時計部から時間または日付または曜日を取得し、取得した時間または日付または曜日が、遮断日時帯保持部の時間帯または日付帯または曜日帯に含まれるときに前記ガス遮断部でガスを遮断させる制御部とを備えたことにより、遮断事由の発生後にガス流量計測部からの規定流量の変化によってガスの使用中であるか否かを判断した後に、時計部から現在日時の取得を行い、ガスの保守業者が出動できる時間帯または日付帯または曜日帯にガスを遮断することができる。
【００１３】
請求項６に記載の発明は、ガスを遮断するガス遮断部と、ガスの遮断を行う事由を発生する遮断事由発生部と、ガスの流量を計測するガス流量計測部と、前記遮断事由発生部で遮断を行う事由が発生した後、前記ガス流量計測部からガス流量を取得し、前記ガス流量が規定流量未満になったときに、前記ガス遮断部でガスを遮断させる制御部とを備えたことにより、遮断事由の発生後にガス流量計測部で規定流量未満になってガスの利用者がガスを使用し終わったと判断した後に、ガスが遮断されるようになり、ガスの利用者がガスを使用している途中に急にガスが使用できなくなることを避けることができる。
【００１４】
【実施例】
以下本発明の実施例について、図面を参照しながら説明する。
【００１５】
（第１実施例）
図１は、本発明の第１実施例におけるガス遮断装置の機能ブロック図であり、図２は第１実施例におけるガス遮断装置の動作を示すフロー図である。
【００１６】
図１において、１１はガスの使用量の計測やガスの使用状態を監視し、異常時にはガスを遮断するガス遮断装置であり、ガスの利用者である各家庭に設置される。１は、ガスの使用における危険な状態に対して一定の日にちや時間の余裕がある時点で、ガスの遮断を行う事由を発生する遮断事由発生部であり、遮断事由としては例えば、極めて微少なガスの漏れを検知する漏洩状態や、徐々に減少する電池電圧の低下状態や、ガス安全遮断器具としての検定満了期日前の状態などがある。２は、ガスを遮断するガス遮断部であり、３は、ガス遮断装置１１の動作を制御する制御部であり、遮断事由発生部１でガスを遮断する事由が発生したときに、ガス遮断部２でガスを遮断させる。４は現在日時を計測する時計部であり、現在日時としては例えば、年月日時分秒および曜日を保持し、秒単位で逐次更新する。５は遮断事由発生部１で遮断事由が発生した後、時計部４が計測した時間または日付または曜日を入力してガスを遮断する遮断時間または遮断日付または遮断曜日を出力する遮断設定日時保持部である。例えば、遮断設定日時保持部５に時間として「１９時４８分」のような値を入力すると、遮断時間として次に訪れる「１０時０分０秒」を出力する。また、日付として「１２月３１日」を入力すると、遮断日付として正月休暇明けの「１月４日９時０分０秒」を出力し、日付として「５月２日」を入力すると遮断日付として、ゴールデンウィーク明けの「５月６日９時０分０秒」を出力する。また、曜日として「土曜日」を入力すると、遮断曜日として「月曜日」を出力する。
【００１７】
次に図２のフロー図を用いてガス遮断装置１１の制御部３の動作、作用について説明する。
【００１８】
このフロー図では、まず遮断事由発生部１が遮断事由を発生することにより動作を開始するものである。尚、現在日時（時間または日付または曜日）のうち時間を入力値とし、それによって遮断日時（遮断時間または遮断日付または遮断曜日）として遮断時間を出力した例で説明する。
【００１９】
ステップ１０１は、遮断設定日時保持部５の遮断時間の元になる現在の時間を時計部４から取得する処理で、時間を取得後ステップ１０２に進む。例えば時間として「１９時４８分３９秒」を取得する。
【００２０】
ステップ１０２は遮断時間を取得する処理で、ステップ１０１で取得した時間を元に遮断設定日時保持部５から次回遮断を行う遮断時間「１０時０分０秒」を取得し、ステップ１０３へ進む。
【００２１】
ステップ１０３は、遮断設定日時保持部５の遮断時間と比較するために現在の時間を時計部４から取得する処理で、時間を取得後ステップ１０４へ進む。
【００２２】
ステップ１０４は現在の時間がステップ１０２で取得した遮断時間「１０時０分０秒」に一致するかどうかを判定する処理で、一致しない場合はステップ１０３に戻り、一致した場合はステップ１０５へ進む。
【００２３】
ステップ１０５は遮断処理で、ガス遮断部２に遮断の命令を出力し、ガス遮断部２がガスを遮断し、すべての処理を終了する。
【００２４】
（第２実施例）
図３は、本発明の第２実施例におけるガス遮断装置の機能ブロック図であり、図４は第２実施例におけるガス遮断装置の動作を示すフロー図である。
【００２５】
図３において、１１はガスの使用量の計測やガスの使用状態を監視し、異常時にはガスを遮断するガス遮断装置であり、ガスの利用者である各家庭に設置される。１は、ガスの使用における危険な状態に対して一定の日にちや時間の余裕がある時点で、ガスの遮断を行う事由を発生する遮断事由発生部であり、遮断事由としては例えば、極めて微少なガスの漏れを検知する漏洩状態や、徐々に減少する電池電圧の低下状態や、ガス安全遮断器具としての検定満了期日前の状態などがある。２は、ガスを遮断するガス遮断部であり、３は、ガス遮断装置１１の動作を制御する制御部であり、遮断事由発生部１でガスを遮断する事由が発生したときに、ガス遮断部２でガスを遮断させる。４は現在日時を計測する時計部であり、現在日時としては例えば、年月日時分秒および曜日を保持し、秒単位で逐次更新する。５は遮断事由発生部１で遮断事由が発生した後、時計部４が計測した時間または日付または曜日を入力してガスを遮断する遮断時間または遮断日付または遮断曜日を出力する遮断設定日時保持部である。例えば、遮断設定日時保持部５に時間として「１９時４８分」のような値を入力すると、遮断時間として次に訪れる「１０時０分０秒」を出力する。また、日付として「１２月３１日」を入力すると、遮断日付として正月休暇明けの「１月４日９時０分０秒」を出力し、日付として「５月２日」を入力すると遮断日付として、ゴールデンウィーク明けの「５月６日９時０分０秒」を出力する。また、曜日として「土曜日」を入力すると、遮断曜日として「月曜日」を出力する。６は、遮断を許可する時間の範囲である時間帯または日付帯または曜日帯を保持する遮断日時帯保持部、例えば時間帯としてはガスの利用者がガスをあまり頻繁に使用せず、またガスの保守業者の営業中である「９時〜１８時」で、日付帯としては年末年始の「１２月２９日〜１月３日」や盆の「８月１４日〜１６日」以外の日付で、曜日帯としてはガスの保守業者が営業中である「月曜日〜土曜日」などがある。
【００２６】
次に図４のフロー図を用いてガス遮断装置１１の制御部３の動作、作用について説明する。
【００２７】
このフロー図では、まず遮断事由発生部１が遮断事由を発生することにより動作を開始するものである。尚、現在日時（時間または日付または曜日）のうち時間を入力値とし、それによって遮断日時（遮断時間または遮断日付または遮断曜日）として遮断時間を出力した例で説明する。
【００２８】
ステップ２０１は、遮断日時帯保持部６の遮断時間帯と比較処理を行うために現在の時間を時計部４から取得する処理で、時間を取得後ステップ２０２に進む。例えば時間として「１９時４８分３９秒」を取得する。
【００２９】
ステップ２０２は、ステップ２０１で取得した時間が遮断日時帯保持部６に保持されている時間帯「９時〜１８時」に含まれるかどうかを判定する処理で、含まれる場合はステップ２０６に進み、含まれない場合はステップ２０３に進む。
【００３０】
ステップ２０３は遮断時間を取得する処理で、ステップ２０１で取得した時間を元に遮断設定日時保持部５から次回遮断を行う遮断時間を取得し、ステップ２０４へ進む。
【００３１】
ステップ２０４は、遮断設定日時保持部５の遮断時間と比較するために現在の時間を時計部４から取得する処理で、時間を取得後ステップ２０５へ進む。
【００３２】
ステップ２０５は現在の時間がステップ２０３で取得した遮断時間に一致するかどうかを判定する処理で、一致しない場合はステップ２０４に戻り、一致した場合はステップ２０６へ進む。
【００３３】
ステップ２０６は遮断処理で、ガス遮断部２に遮断の命令を出力し、ガス遮断部２がガスを遮断し、すべての処理を終了する。
【００３４】
尚、上記第１、第２実施例で示したように、時計部４の現在時間と遮断設定日時保持部５の遮断時間との一致を判定（第１実施例ではステップ１０４、第２実施例ではステップ２０５）するためには、遮断時間を保持して随時時計部４の時間と比較する方法のほか、現在時刻から遮断時間まで差分の時間を保持してタイマで計数し、差分の時間の経過で判定するなどの方法がある。
【００３５】
（第３実施例）
図５は、本発明の第３実施例におけるガス遮断装置の機能ブロック図であり、図６は第３実施例におけるガス遮断装置の動作を示すフロー図である。
【００３６】
図５において、１１はガスの使用量の計測やガスの使用状態を監視し、異常時にはガスを遮断するガス遮断装置であり、ガスの利用者である各家庭に設置される。１は、ガスの使用における危険な状態に対して一定の日にちや時間の余裕がある時点で、ガスの遮断を行う事由を発生する遮断事由発生部であり、遮断事由としては例えば、極めて微少なガスの漏れを検知する漏洩状態や、徐々に減少する電池電圧の低下状態や、ガス安全遮断器具としての検定満了期日前の状態などがある。２は、ガスを遮断するガス遮断部であり、３は、ガス遮断装置１１の動作を制御する制御部であり、遮断事由発生部１でガスを遮断する事由が発生したときに、ガス遮断部２でガスを遮断させる。４は現在日時を計測する時計部であり、現在日時としては例えば、年月日時分秒および曜日を保持し、秒単位で逐次更新する。７は遮断後に開栓を許可する時間の範囲である時間帯または日付帯または曜日帯を保持する開栓許可日時帯保持部であり、例えば時間帯としてはガスの利用者がガスを頻繁に使用する可能性があり、ガスの保守業者の営業中でない「１８時〜９時」で、日時帯としては年末年始の「１２月２９日〜１月３日」や盆の「８月１４日〜１６日」の日付で、曜日帯としてはガスの保守業者が営業中でない「日曜日」などがある。８は遮断したガス遮断部２の開栓の要求を受け付ける開栓受付部である。９は遮断したガス遮断部２の開栓が許可されている開栓許可状態または開栓が許可されていない開栓不許可状態を保持する開栓許可状態保持部である。
【００３７】
次に図６のフロー図を用いてガス遮断装置１１の制御部３の動作、作用について説明する。
【００３８】
このフロー図では、まず遮断事由発生部１が遮断事由を発生することにより動作を開始するものである。尚、現在日時（時間または日付または曜日）のうち時間を入力値とし、それによって遮断日時（遮断時間または遮断日付または遮断曜日）として遮断時間を出力した例で説明する。
ステップ３０１は、開栓許可日時帯保持部７の時間帯と比較処理を行うために現在の時間を時計部４から取得する処理で、時間を取得後ステップ３０２に進む。
【００３９】
ステップ３０２は、ステップ３０１で取得した時間が開栓許可日時帯保持部７に保持されている時間帯に含まれているかどうかを判定する処理で、含まれる場合はステップ３０３に進み、含まれない場合はステップ３０４へ進む。
【００４０】
ステップ３０３は開栓許可状態保持部９へ開栓許可状態を保持させるための設定処理で、ステップ３０５へ進む。
【００４１】
ステップ３０４は開栓許可状態保持部９へ開栓不許可状態を保持させるための設定処理で、ステップ３０５へ進む。
【００４２】
ステップ３０５は遮断処理で、ガス遮断部２でガスを遮断させた後、ステップ３０６へ進む。
【００４３】
ステップ３０６は開栓受付部８から開栓の要求を待機する処理で、要求を受け付けたときにステップ３０７へ進む。
【００４４】
ステップ３０７は開栓許可状態保持部９に保持してある状態が、開栓許可状態であるかどうかを判定する処理で、開栓許可状態であれば開栓を受付けてステップ３０８へ進み、開栓不許可状態であれば開栓を受け付けずステップ３０６へ戻る。
【００４５】
ステップ３０８はガス遮断解除処理で、開栓を受け付けてガス遮断部２のガス遮断状態を解除させ、すべての処理を終了する。
【００４６】
（第４実施例）
本発明の第４実施例におけるガス遮断装置の機能ブロック図は、第３実施例で示した図５を利用して説明する。図７は本発明の第４実施例におけるガス遮断装置の動作を示すフロー図である。
【００４７】
図５において、１１はガスの使用量の計測やガスの使用状態を監視し、異常時にはガスを遮断するガス遮断装置であり、ガスの利用者である各家庭に設置される。１は、ガスの使用における危険な状態に対して一定の日にちや時間の余裕がある時点で、ガスの遮断を行う事由を発生する遮断事由発生部であり、遮断事由としては例えば、極めて微少なガスの漏れを検知する漏洩状態や、徐々に減少する電池電圧の低下状態や、ガス安全遮断器具としての検定満了期日前の状態などがある。２は、ガスを遮断するガス遮断部であり、３は、ガス遮断装置１１の動作を制御する制御部であり、遮断事由発生部１でガスを遮断する事由が発生したときに、ガス遮断部２でガスを遮断させる。４は現在日時を計測する時計部であり、現在日時としては例えば、年月日時分秒および曜日を保持し、秒単位で逐次更新する。７は遮断後に開栓を許可する時間の範囲である時間帯または日付帯または曜日帯を保持する開栓許可日時帯保持部であり、例えば時間帯としてはガスの利用者がガスを頻繁に使用する可能性があり、ガスの保守業者の営業中でない「１８時〜９時」で、日時帯としては年末年始の「１２月２９日〜１月３日」や盆の「８月１４日〜１６日」の日付で、曜日帯としてはガスの保守業者が営業中でない「日曜日」などがある。８は遮断したガス遮断部２の開栓の要求を受け付ける開栓受付部である。９は遮断したガス遮断部２の開栓が許可されている開栓許可状態または開栓が許可されていない開栓不許可状態を保持する開栓許可状態保持部である。１０はガスの流量を検出するガス流量計測部であり、単位時間当たりの通過ガス量あるいは単位体積当りの通過時間をガスの通過流量として検出する。
【００４８】
次に図７のフロー図を用いてガス遮断装置１１の制御部３の動作、作用について説明する。
【００４９】
このフロー図では、まず遮断事由発生部１が遮断事由を発生することにより動作を開始するものである。
【００５０】
ステップ４０１ではガス流量計測部１０によりガスの流量を計測し、規定の流量未満を計測したらステップ４０２へ進み、そうでない場合はステップ４０１へ戻る。
【００５１】
ステップ４０２ではガス流量計測部１０によりガスの流量を計測し、規定の流量以上を計測したらステップ４０３へ進み、そうでない場合はステップ４０２へ戻る。
【００５２】
ステップ４０３は、開栓許可日時帯保持部７の時間帯と比較処理を行うために現在の時間を時計部４から取得する処理で、時間を取得後ステップ４０４に進む。
【００５３】
ステップ４０４は、ステップ４０３で取得した時間が開栓許可日時帯保持部７に保持されている時間帯に含まれているかどうかを判定する処理で、含まれる場合はステップ４０５に進み、含まれない場合はステップ４０６へ進む。
【００５４】
ステップ４０５は開栓許可状態保持部９へ開栓許可状態を保持させるための設定処理で、ステップ４０７へ進む。
【００５５】
ステップ４０６は開栓許可状態保持部９へ開栓不許可状態を保持させるための設定処理で、ステップ４０７へ進む。
【００５６】
ステップ４０７は遮断処理で、ガス遮断部２によりガスを遮断させた後、ステップ４０８へ進む。
【００５７】
ステップ４０８は開栓受付部８から開栓の要求を待機する処理で、要求を受け付けたときにステップ４０９へ進む。
【００５８】
ステップ４０９は開栓許可状態保持部９に保持してある状態が、開栓許可状態であるかどうかを判定する処理で、開栓許可状態であれば開栓を受付けてステップ４１０へ進み、開栓不許可状態であれば開栓を受け付けずステップ４０８へ戻る。
【００５９】
ステップ４１０はガス遮断解除処理で、開栓を受け付けてガス遮断部２のガス遮断状態を解除させ、すべての処理を終了する。
【００６０】
（第５実施例）
図８は、本発明の第５実施例におけるガス遮断装置の機能ブロック図であり、図９は第５実施例におけるガス遮断装置の動作を示すフロー図である。
【００６１】
図８において、１１はガスの使用量の計測やガスの使用状態を監視し、異常時にはガスを遮断するガス遮断装置であり、ガスの利用者である各家庭に設置される。１は、ガスの使用における危険な状態に対して一定の日にちや時間の余裕がある時点で、ガスの遮断を行う事由を発生する遮断事由発生部であり、遮断事由としては例えば、極めて微少なガスの漏れを検知する漏洩状態や、徐々に減少する電池電圧の低下状態や、ガス安全遮断器具としての検定満了期日前の状態などがある。２は、ガスを遮断するガス遮断部であり、３は、ガス遮断装置１１の動作を制御する制御部であり、遮断事由発生部１でガスを遮断する事由が発生したときに、ガス遮断部２でガスを遮断させる。４は現在日時を計測する時計部であり、現在日時としては例えば、年月日時分秒および曜日を保持し、秒単位で逐次更新する。６は、遮断を許可する時間の範囲である時間帯または日付帯または曜日帯を保持し、例えば時間帯としてはガスの利用者がガスをあまり頻繁に使用せず、またガスの保守業者の営業中である「９時〜１８時」で、日付帯としては年末年始の「１２月２９日〜０１月３日」や盆の「８月１４日〜１６日」以外の日付で、曜日帯としてはガスの保守業者が営業中である「月曜日〜土曜日」などがある。１０はガスの流量を検出するガス流量計測部であり、単位時間当たりの通過時間をガスの通過流量として検出する。
【００６２】
次に図９のフロー図を用いてガス遮断装置１１の制御部３の動作、作用について説明する。
【００６３】
このフロー図では、まず遮断事由発生部１が遮断事由を発生することにより動作を開始するものである。尚、現在日時（時間または日付または曜日）のうち時間を入力値とし、それによって遮断日時（遮断時間または遮断日付または遮断曜日）として遮断時間を出力した例で説明する。
【００６４】
ステップ５０１ではガス流量計測部１０でガスの流量を計測し、規定の流量未満を計測したらステップ５０２へ進み、そうでない場合はステップ５０１へ戻る。
【００６５】
ステップ５０２ではガス流量計測部１０でガスの流量を計測し、規定の流量以上を計測したらステップ５０３へ進み、そうでない場合はステップ５０２へ戻る。
【００６６】
ステップ５０３は、遮断日時帯保持部６の時間帯と比較処理を行うために現在の時間を時計部４から取得する処理で、時間を取得後ステップ５０４に進む。
【００６７】
ステップ５０４は、ステップ５０３で取得した時間が遮断日時帯保持部６に保持されている時間帯「９時〜１８時」に含まれるかどうかを判定する処理で、含まれる場合はステップ５０５に進み、含まれない場合はステップ５０１へ戻る。
【００６８】
ステップ５０５は遮断処理で、ガス遮断部２に遮断の命令を出力し、ガス遮断部２がガスを遮断し、すべての処理を終了する。
【００６９】
（第６実施例）
図１０は、本発明の第６実施例におけるガス遮断装置の機能ブロック図であり、図１１は第６実施例におけるガス遮断装置の動作を示すフロー図である。
【００７０】
図１０において、１１はガスの使用量の計測やガスの使用状態を監視し、異常時にはガスを遮断するガス遮断装置であり、ガスの利用者である各家庭に設置される。１は、ガスの使用における危険な状態に対して一定の日にちや時間の余裕がある時点で、ガスの遮断を行う事由を発生する遮断事由発生部であり、遮断事由としては例えば、極めて微少なガスの漏れを検知する漏洩状態や、徐々に減少する電池電圧の低下状態や、ガス安全遮断器具としての検定満了期日前の状態などがある。２は、ガスを遮断するガス遮断部であり、３は、ガス遮断装置１１の動作を制御する制御部であり、遮断事由発生部１でガスを遮断する事由が発生したときに、ガス遮断部２でガスを遮断させる。１０はガスの流量を検出するガス流量計測部であり、単位時間当たりの通過ガス量あるいは単位体積当りの通過時間をガスの通過流量として検出する。
【００７１】
次に図１１のフロー図を用いてガス遮断装置１１の制御部３の動作、作用について説明する。
【００７２】
このフロー図では、まず遮断事由発生部１が遮断事由を発生することにより動作を開始するものである。
【００７３】
ステップ６０１ではガス流量計測部１０でガスの流量を計測し、規定の流量未満を計測したらステップ６０２へ進み、そうでない場合はステップ６０１へ戻る。
【００７４】
ステップ６０２は遮断処理で、ガス遮断部２に遮断の命令を出力し、ガス遮断部２がガスを遮断し、すべての処理を終了する。
【００７５】
【発明の効果】
以上のように、請求項１〜６に記載の発明によれば、ガスの保守業者が処理できない時間または日付または曜日を外してガスを遮断したり、遮断しても一時的に遮断状態を解除でき、ガスの利用者が頻繁にガスを使用する時間帯または休日または曜日などでガスを使用できなくなることを避けることができるので、ガスの保守業者、ガスの利用者の双方の利便性を向上することができる。
【図面の簡単な説明】
【図１】本発明の第１実施例におけるガス遮断装置の機能ブロック図。
【図２】本発明の第１実施例におけるガス遮断装置の制御部のフロー図。
【図３】本発明の第２実施例におけるガス遮断装置の機能ブロック図。
【図４】本発明の第２実施例におけるガス遮断装置の制御部のフロー図。
【図５】本発明の第３実施例および第４実施例におけるガス遮断装置の機能ブロック図。
【図６】本発明の第３実施例におけるガス遮断装置の制御部のフロー図。
【図７】本発明の第４実施例におけるガス遮断装置の制御部のフロー図。
【図８】本発明の第５実施例におけるガス遮断装置の機能ブロック図。
【図９】本発明の第５実施例におけるガス遮断装置の制御部のフロー図。
【図１０】本発明の第６実施例におけるガス遮断装置の機能ブロック図。
【図１１】本発明の第６実施例におけるガス遮断装置の制御部のフロー図。
【符号の説明】
１  遮断事由発生部
２  ガス遮断部
３  制御部
４  時計部
５  遮断設定日時保持部
６  遮断日時帯保持部
７  開栓許可日時帯保持部
８  開栓受付部
９  開栓許可状態保持部
１０  ガス流量計測部
１１  ガス遮断装置
【図１】
0004610124.tif 000002
【図２】
0004610124.tif 000003
【図３】
0004610124.tif 000004
【図４】
0004610124.tif 000005
【図５】
0004610124.tif 000006
【図６】
0004610124.tif 000007
【図７】
0004610124.tif 000008
【図８】
0004610124.tif 000009
【図９】
0004610124.tif 000010
【図１０】
0004610124.tif 000011
【図１１】
0004610124.tif 000012